【事件の表示】
　特願２００４−３８０７４５「電流駆動型の能動行列の有機電界発光ディスプレー装置」拒絶査定不服審判事件〔平成１７年１１月１０日出願公開、特開２００５−３１６３８０〕について、次のとおり審決する。
【結　論】
　本件審判の請求は、成り立たない。
【理　由】
１　手続の経緯  
　
　平成１６年１２月２８日　特許出願（パリ条約による優先権主張２００４年４月３０日、大韓民国）
　平成２０年　６月３０日　拒絶理由通知（同年７月２日発送）
　平成２０年１０月　２日　意見書・手続補正書
　平成２０年１０月３０日　拒絶査定（同年１１月４日送達）
　平成２１年　２月　２日　本件審判請求・手続補正書
　平成２２年　４月１９日　審尋（同年４月２１日発送）
　平成２２年　７月２１日　回答書
 　 
２　平成２１年２月２日付け手続補正についての補正却下の決定 
　
[補正却下の決定の結論] 
　
　平成２１年２月２日付け手続補正を却下する。 
　
[理由］独立特許要件違反 
　
 　平成２１年２月２日付け手続補正（以下「本件補正」という。）により、本件補正前の請求項１は、 
「第１信号によって駆動される第１スイッチング素子と、第１信号とは異なる第２信号によって駆動される第２スイッチング素子及び第３スイッチング素子と；
　電源電圧配線、貯蔵キャパシタンス及び前記第１スイッチング素子、第２スイッチング素子、第３スイッチング素子とに連結される第１駆動素子と；
　前記電源電圧配線、前記貯蔵キャパシタンス、有機発光ダイオード及び第３スイッチング素子とに連結される第２駆動素子を含み、第１スイッチング素子、第２スイッチング素子、第３スイッチング素子は、相互に直列に連結され、前記第１スイッチング素子は、前記第２スイッチング素子及び第３スイッチング素子が駆動を止めた以後に、駆動を止めることを特徴とする有機電界発光ディスプレー装置。」から、
「第１信号によって駆動される第１スイッチング素子と、第１信号とは異なる第２信号によって駆動される第２スイッチング素子及び第３スイッチング素子と；
　電源電圧配線、貯蔵キャパシタンス及び前記第１スイッチング素子、第２スイッチング素子、第３スイッチング素子とに連結される第１駆動素子と；
　前記電源電圧配線、前記貯蔵キャパシタンス、有機発光ダイオード及び第３スイッチング素子とに連結される第２駆動素子を含み、第１スイッチング素子、第２スイッチング素子、第３スイッチング素子は、相互に直列に連結され、前記第１スイッチング素子は、前記第２スイッチング素子及び第３スイッチング素子が駆動を止めた以後に、駆動を止め
、前記第１駆動素子のゲートは、前記第２スイッチング素子のドレイン及び第３スイッチング素子のソースの連結点に連結されている
ことを特徴とする有機電界発光ディスプレー装置。」に補正された。 （下線は、補正箇所を明示するために請求人が付した。）
　
　したがって、この補正は、第１の駆動素子と第２スイッチング素子及び第３スイッチング素子の連結に関して、「前記第１駆動素子のゲートは、前記第２スイッチング素子のドレイン及び第３スイッチング素子のソースの連結点に連結されている」ことを限定するものである。
　
　以上のことから、この補正は、特許請求の範囲の減縮を目的とするものに該当する。 
　そこで、本件補正後の請求項１に係る発明が特許出願の際独立して特許を受けることができるものであるか（平成１８年法律第５５号改正附則第３条第１項によりなお従前の例によるとされる同法による改正前の特許法第１７条の２第５項において準用する特許法第１２６条第５項の規定に適合するか）について検討する。 
　
（１）本件補正後の本願発明 
　
　本願の請求項１に係る発明（以下「本願補正発明」という。）は、本件補正により補正された明細書、特許請求の範囲、及び図面の記載からみて、その請求項１に記載された事項により特定される以下のものと認める。 
「第１信号によって駆動される第１スイッチング素子と、第１信号とは異なる第２信号によって駆動される第２スイッチング素子及び第３スイッチング素子と；
　電源電圧配線、貯蔵キャパシタンス及び前記第１スイッチング素子、第２スイッチング素子、第３スイッチング素子とに連結される第１駆動素子と；
　前記電源電圧配線、前記貯蔵キャパシタンス、有機発光ダイオード及び第３スイッチング素子とに連結される第２駆動素子を含み、第１スイッチング素子、第２スイッチング素子、第３スイッチング素子は、相互に直列に連結され、前記第１スイッチング素子は、前記第２スイッチング素子及び第３スイッチング素子が駆動を止めた以後に、駆動を止め、前記第１駆動素子のゲートは、前記第２スイッチング素子のドレイン及び第３スイッチング素子のソースの連結点に連結されている
ことを特徴とする有機電界発光ディスプレー装置。」
　
（２）引用発明 
（２−１）引用刊行物の記載事項
　原査定の拒絶の理由で引用され、本願の優先日前に頒布された刊行物である特開２００３−３１６３１７号公報（以下「引用刊行物」という。）には、「電流駆動素子アクティブマトリクスの画素回路」（発明の名称）の発明に関して、以下の事項が記載されている。 
　
＜記載事項１＞
「【０００１】
【発明の属する技術分野】本発明は電流駆動素子（ｃｕｒｒｅｎｔ  ｄｒｉｖｉｎｇ  ｄｅｖｉｃｅ）アクティブマトリクスの画素回路（ｕｎｉｔａｒｙ  ｃｉｒｃｕｉｔ）に係り、特に、トランジスタのオンオフ変換の、電流駆動素子に送られる電流に対する影響を除去する構造に関する。
【０００２】
【従来の技術】有機発光ダイオード（Ｏｒｇａｎｉｃ  Ｌｉｇｈｔ  Ｅｍｉｔｔｉｎｇ  Ｄｅｖｉｃｅ：ＯＬＥＤ）とポリマー発光ダイオード（Ｐｏｌｙｍｅｒ  ＬｉｇｈｔＥｍｉｔｔｉｎｇ  Ｄｅｖｉｃｅ：ＰＬＥＤ）は日々普及し、電流駆動素子はすでに現代の電子製品の注目を浴びる領域となっている。一般には、電流駆動素子が作業時に消耗する電力量を減らすため、及びその使用期限（ｌｉｆｅ  ｔｉｍｅ）を延長するため、周知の技術はアクティブマトリクスの画素回路を使用することにより電流駆動素子を駆動するのに必要な電流を提供する。」
　
＜記載事項２＞
「【０００７】どのようであっても、各一つの実際の素子の性能はいずれも理想の素子の性能とは異なる。例えば実際のトランジスタのゲートとソースの間（或いはゲートとドレインの間）の寄生容量は往々にして零でなく、特に実際のトランジスタが低温ポリシリコン基板上に形成される時はそうであり（ＯＬＥＤはこのようである）、このためソース／ドレインに出現する電荷はゲートの実際の電圧を改変する。また、例えばトランジスタ導通時に、往々にして電荷が上述の寄生容量の存在によりゲート内部に位置し、且つゲート下方のチャネル中にも一定数量の電荷が存在し、このためトランジスタがオフとされ、これらのゲート内部と下方に位置する電荷はゲート電圧を束縛せず、ソースとドレインに流れ、余分の電流を発生する。このような問題は、一般にスイッチ効果或いは電荷結合効果と称され、その作用は図１に示される回路の実際の応用上、以下の二つの欠点に遭遇する。
【０００８】第１に、第１トランジスタ１１と第２トランジスタ１２がいずれもオフの時、もともと第３トランジスタ１３を流れる電流が流通不能となり、ある電荷が第３トランジスタ１３のドレインに累積し、この部分の電圧を上げる。この時、もし第３トランジスタ１３がに（当審注：「第３トランジスタに」の誤記と認める。）零でないゲートドレイン間寄生容量が存在すると、この零でないコンデンサが第３トランジスタ１３ドレインのこれらの電荷とコンデンサ１５（或いはコンデンサ１５の直接第３トランジスタのゲートと電気的に連接する電極板）を結合させ、これによりコンデンサ１５の保存する電圧を改変する。
【０００９】第２に、第１トランジスタ１１と第２トランジスタ１２がいずれもオフの時、もともとこれら二つのトランジスタのゲート内部と下方チャネル中に位置する電荷が、これら二つのトランジスタ１１、１２のソースとドレインに向けて流動する。結果として、一部の電荷が第３トランジスタのドレインに流入し、これにより上述の第１点と同じ欠点を発生し、一部の電荷が直接第２トランジスタ１２のドレインを経由してコンデンサ１５の定電圧電源１７と直接電気的に連接しない電極板に流れ、直接コンデンサ１５が保存する電圧を改変する。
【００１０】あきらかに、各コンデンサの性能はいずれも非常に理想的で（寄生容量の電容値は零に近い）あると、第２トランジスタ１２のスイッチ効果もコンデンサ１５の保存する電圧に影響する。（当審注：「影響しない。」の誤記と認める。）各トランジスタの寄生電容値が疎かにできない時は、コンデンサ１５の保存する電圧は明らかに第１トランジスタ１１と第２トランジスタ１２のスイッチ効果（或いはスイッチ過程）の影響を受ける。
【００１１】電流駆動素子の出力とその入力の電流は密接に関係し、コンデンサ１５の保存する電圧は明らかに第４トランジスタ１４を経由して電流駆動素子１６に流れる電流量に影響する。これによりいかにコンデンサ１５の保存電圧の安定と正確を確保するか、特異（当審注：「特に」の誤記と認める。）、いかにその他のトランジスタ１１、１２、１３の状態の影響を受けないようにするかが、極めて解決を待たれる問題である。」
　
＜記載事項３＞
「【００１２】
【発明が解決しようとする課題】本発明の主要な目的は、スイッチ効果の電流駆動素子アクティブマトリクスに対する影響を減少、さらには除去することにある。
【００１３】本発明のもう一つの目的は、電荷結合効果の電流駆動素子に入力される電流への影響を減少、さらには除去することにある。
【００１４】本発明のまた一つの目的は、電流駆動素子の入力電流量を制御するコンデンサが保存する電圧を安定させることにある。」
　
＜記載事項４＞
「【００１８】
【実施例】図１は周知の電流駆動素子アクティブマトリクスの画素回路中の、第３トランジスタ１３を経由してコンデンサ１５に保存される電圧への影響の問題を示す。本発明は第３トランジスタ１３とコンデンサ１５（及び第４トランジスタ１４のゲート）の間に一つの補助トランジスタを加入させ、この補助トランジスタが第３トランジスタ１３にあってスイッチの前にオフとされるようにし、これにより第３トランジスタ１３とコンデンサ１５が直接電気的に隔離されるようにし、これによりコンデンサ１５の保存する電圧がトランジスタのスイッチ過程中に、第３トランジスタ１３から来る電流／電圧／電荷の影響を受けないようにする。」
　
＜記載事項５＞
「【００２１】本発明の一つの好ましい実施例の電流駆動素子アクティブマトリクスの画素回路は図２に示されるようであり、少なくとも以下のユニットを具えている。即ち、補助トランジスタ２０、第１トランジスタ２１、第２トランジスタ２２、第３トランジスタ２３、第４トランジスタ２４、コンデンサ２５、電流駆動素子２６（例えば有機発光ダイオードとポリマー発光ダイオード）。
【００２２】図２に示されるように、第１トランジスタ２１のソースとゲートはそれぞれ第１入出力端２０１及び第２入出力端２０２に電気的に連接する。第２トランジスタ２２のソースとゲートはそれぞれ第１トランジスタ２１のドレイン及び第３入出力端２０３に電気的に連接する。第３トランジスタ２３のソースとドレインはそれぞれ定電圧電源２７及び第１トランジスタ２１のドレインに電気的に連接する。第４トランジスタ２４のソースとゲートはそれぞれ定電圧電源２７及び第２トランジスタ２２のドレインに電気的に連接する。コンデンサ２５の二つの電極板はそれぞれ定電圧電源２７及び第４トランジスタ２４のゲートに電気的に連接する。電流駆動素子２６は第４トランジスタ２４のドレインに電気的に連接する。補助トランジスタ２０のソース、ドレイン及びゲートはそれぞれ第３トランジスタ２３のゲート、第４トランジスタ２４のゲート及び第３入出力端２０３に電気的に連接する。並びに、完全なマトリクス中、第１入出力端２０１は通常、電流信号を伝送するデータ線に電気的に連接し、第２入出力端２０２及び第３入出力端２０３は通常、電圧信号を伝送する走査線に電気的に連接する。
【００２３】あきらかに、図２と図１を比較すると、本実施例の一つの主要な特徴は、第３トランジスタ２３のゲートとコンデンサ２５（或いは第４トランジスタ２４のゲート）の間の補助トランジスタ２０にある。本実施例中、補助トランジスタ２０は第３トランジスタ２３がオフとされる前にオフとされ電流を導通させず、これによりいかに第３トランジスタ２３のドレイン（甚だしくはソース、ゲートとゲート下方のチャネル）に電圧／電流／電荷（通常は第１トランジスタ２１と第２トランジスタ２２のオン過程とオフ過程により引き起こされる）が出現しても、コンデンサ２５の定電圧電源２７と直接電気的に連接しない電極板に伝導されず、いずれもコンデンサ２５の保存電圧を改変することはできず、これにより電流駆動素子２６に送られる電流量が第１トランジスタ２１と第２トランジスタ２２の導通過程とオフ過程で変化を発生するのを防止できる。
【００２４】さらに、第１トランジスタ２１と第２トランジスタ２２がオンとされる時、補助トランジスタ２０もまた必ずオンとされて電流ミラーを形成し、且つ第１トランジスタ２１オフの時に、第３トランジスタ２３のドレインとゲートの電圧変化のコンデンサ２５と第４トランジスタ２４の両者に対する影響を阻止する必要がある。これにより本実施例では、補助トランジスタ２０と第２トランジスタ２２のオンとオフを制御する第３入出力端２０３が入力する第３信号位相（当審注：「第３信号の位相」の誤記と認める。）を、通常、第１トランジスタ２１のオンとオフを制御する第２入出力端２０２が入力する第２信号の位相より速くし、これにより第２トランジスタ２２と補助トランジスタ２０がいずれも確実にオフとされた後に、第１トランジスタ２１がオフとされるようにしている。反対に、トランジスタがオフの時に電流がなく、これによりすでにオフとされたトランジスタがオンとされても、すでに存在する電流の改変を引き起こし得ない。これにより、第２トランジスタ２２、補助トランジスタ２０と第１トランジスタ２１の三者がいずれもオフ（当審注：「オン」の誤記と認める。）とされる時、どれがさきに導通するかは重要でなく、また本実施例の重点でもない。」
　
＜記載事項６＞
「【００２５】このほか、補助トランジスタ２０のスイッチ過程中、第２トランジスタ２２のスイッチ過程と同様に、電荷が補助トランジスタ２０のソースとドレインに流れ、補助トランジスタ２０のドレインが直接コンデンサ２５と第４トランジスタ２４のゲートに電気的に連接する。補助トランジスタ２０の位置は第２トランジスタ２２のオフ過程で排出される電荷が第２トランジスタ２２のドレインからコンデンサ２５と第４トランジスタ２４のゲートに流動するのを防止できない。このため補助トランジスタ２０の上述の使用は完全にはコンデンサ２５の保存電圧が第１トランジスタ２１と第２トランジスタ２２の両者のオフ過程／オン過程の影響を受けるのを防止できない。
【００２６】この問題に対して、本実施例では一つの解決方法を提出している。即ち、補助トランジスタ２０と第２トランジスタ２２が一緒にオフとされるようにするが、ただし補助トランジスタ２０と第２トランジスタ２２の導通形態を反対とし、これによりこれら両者が同一時間にそれぞれ電子と正孔をコンデンサ２５の定電圧電源と直接電気的に接触しない電極板に排出するようにし、電子正孔の相互相殺中和により、コンデンサ２５の保存電圧が影響を受けないようにしている。当然、このような解決方法は補助トランジスタ２０と第２トランジスタ２２個別の伝導形態がどのようであるかに限定されない。」
　
（２−２）引用刊行物に記載された発明
（２−２−１）
　上記記載事項１には、「【０００１】【発明の属する技術分野】本発明は電流駆動素子（ｃｕｒｒｅｎｔ  ｄｒｉｖｉｎｇ  ｄｅｖｉｃｅ）アクティブマトリクスの画素回路（ｕｎｉｔａｒｙ  ｃｉｒｃｕｉｔ）に係り、・・・【０００２】【従来の技術】有機発光ダイオード（Ｏｒｇａｎｉｃ  Ｌｉｇｈｔ  Ｅｍｉｔｔｉｎｇ  Ｄｅｖｉｃｅ：ＯＬＥＤ）とポリマー発光ダイオード（Ｐｏｌｙｍｅｒ  ＬｉｇｈｔＥｍｉｔｔｉｎｇ  Ｄｅｖｉｃｅ：ＰＬＥＤ）は日々普及し、電流駆動素子はすでに現代の電子製品の注目を浴びる領域となっている。・・・周知の技術はアクティブマトリクスの画素回路を使用することにより電流駆動素子を駆動するのに必要な電流を提供する。」と記載されている。
　この記載によれば、引用刊行物には、「有機発光ダイオード用電流駆動素子アクティブマトリクスの画素回路を用いた表示装置」の発明が記載されている。
　
（２−２−２）
　上記記載事項５には「【００２１】本発明の一つの好ましい実施例の電流駆動素子アクティブマトリクスの画素回路は図２に示されるようであり、少なくとも以下のユニットを具えている。即ち、補助トランジスタ２０、第１トランジスタ２１、第２トランジスタ２２、第３トランジスタ２３、第４トランジスタ２４、コンデンサ２５、電流駆動素子２６（例えば有機発光ダイオードとポリマー発光ダイオード）。【００２２】・・・第３トランジスタ２３のソースとドレインはそれぞれ定電圧電源２７及び第１トランジスタ２１のドレインに電気的に連接する。・・・」と記載されている。
　この記載によれば、引用刊行物に記載された「有機発光ダイオード用電流駆動素子アクティブマトリクスの画素回路を用いた表示装置」は、「補助トランジスタ２０、第１トランジスタ２１、第２トランジスタ２２、第３トランジスタ２３、第４トランジスタ２４、コンデンサ２５、有機発光ダイオード２６、定電圧電源２７」を具えている。
　
（２−２−３）
　上記記載事項５には「【００２２】図２に示されるように、第１トランジスタ２１のソースとゲートはそれぞれ第１入出力端２０１及び第２入出力端２０２に電気的に連接する。・・・【００２４】・・・第１トランジスタ２１のオンとオフを制御する第２入出力端２０２が入力する第２信号の位相より速くし、・・・」と記載されている。
　この記載によれば、引用刊行物に記載された「有機発光ダイオード用電流駆動素子アクティブマトリクスの画素回路を用いた表示装置」が具える「第１トランジスタ２１」は、「第２信号によりオンとオフが制御される」ものである。
　
（２−２−４）
　上記記載事項５には、「【００２２】・・・第２トランジスタ２２のソースとゲートはそれぞれ第１トランジスタ２１のドレイン及び第３入出力端２０３に電気的に連接する。・・・補助トランジスタ２０のソース、ドレイン及びゲートはそれぞれ第３トランジスタ２３のゲート、第４トランジスタ２４のゲート及び第３入出力端２０３に電気的に連接する。・・・【００２４】・・・補助トランジスタ２０と第２トランジスタ２２のオンとオフを制御する第３入出力端２０３が入力する第３信号の位相を、通常、第１トランジスタ２１のオンとオフを制御する第２入出力端２０２が入力する第２信号の位相より速くし・・・」と記載されている。
　この記載によれば、引用刊行物に記載された「有機発光ダイオード用電流駆動素子アクティブマトリクスの画素回路を用いた表示装置」が具える「第２トランジスタ２２及び補助トランジスタ２０」は、「第２信号の位相とは異なる位相を有する第３信号によりオンとオフが制御される」ものである。
　
（２−２−５）
　上記記載事項５には、「【００２２】・・・第２トランジスタ２２のソースとゲートはそれぞれ第１トランジスタ２１のドレイン及び第３入出力端２０３に電気的に連接する。第３トランジスタ２３のソースとドレインはそれぞれ定電圧電源２７及び第１トランジスタ２１のドレインに電気的に連接する。・・・コンデンサ２５の二つの電極板はそれぞれ定電圧電源２７及び第４トランジスタ２４のゲートに電気的に連接する。・・・補助トランジスタ２０のソース、ドレイン及びゲートはそれぞれ第３トランジスタ２３のゲート、第４トランジスタ２４のゲート及び第３入出力端２０３に電気的に連接する。・・・」と記載されている。
　そして、この記載及び図２から明らかなように、定電圧電源２７には、第３トランジスタ２３のソースとコンデンサ２５の一方の電極板が電気的に連接されているから、第３トランジスタ２３のソースには、コンデンサ２５も電気的に連接されている。
　よって、この記載及び上記事項によれば、引用刊行物に記載された「有機発光ダイオード用電流駆動素子アクティブマトリクスの画素回路を用いた表示装置」が具える「第３トランジスタ２３」は、「そのソースに定電圧電源２７とコンデンサ２５とが電気的に連接され、そのドレインに第１トランジスタ２１のドレインと第２トランジスタ２２のソースとが電気的に連接され、そのゲートに補助トランジスタ２０のソースが電気的に連接されている」ものである。
　
（２−２−６）
　上記記載事項５には、「【００２１】・・・電流駆動素子２６（例えば有機発光ダイオードとポリマー発光ダイオード）。【００２２】・・・第４トランジスタ２４のソースとゲートはそれぞれ定電圧電源２７及び第２トランジスタ２２のドレインに電気的に連接する。コンデンサ２５の二つの電極板はそれぞれ定電圧電源２７及び第４トランジスタ２４のゲートに電気的に連接する。電流駆動素子２６は第４トランジスタ２４のドレインに電気的に連接する。補助トランジスタ２０のソース、ドレイン及びゲートはそれぞれ第３トランジスタ２３のゲート、第４トランジスタ２４のゲート及び第３入出力端２０３に電気的に連接する。・・・」と記載されている。
　この記載によれば、引用刊行物に記載された「有機発光ダイオード用電流駆動素子アクティブマトリクスの画素回路を用いた表示装置」が具える「第４トランジスタ２４」は、「そのソースに定電圧電源２７が電気的に連接され、そのドレインに有機発光ダイオード２６が電気的に連接され、そのゲートにコンデンサ２５と補助トランジスタ２０のドレインと第２トランジスタ２２のドレインとが電気的に連接されている」ものである。
　
（２−２−７）
　上記記載事項５には、「【００２２】・・・第１トランジスタ２１のソースとゲートはそれぞれ第１入出力端２０１及び第２入出力端２０２に電気的に連接する。第２トランジスタ２２のソースとゲートはそれぞれ第１トランジスタ２１のドレイン及び第３入出力端２０３に電気的に連接する。・・・第４トランジスタ２４のソースとゲートはそれぞれ定電圧電源２７及び第２トランジスタ２２のドレインに電気的に連接する。・・・補助トランジスタ２０のソース、ドレイン及びゲートはそれぞれ第３トランジスタ２３のゲート、第４トランジスタ２４のゲート及び第３入出力端２０３に電気的に連接する。・・・」と記載されている。
　この記載によれば、第４トランジスタ２４のゲートには、補助トランジスタ２０のドレインと、第２トランジスタ２２のドレインとが共に電気的に連接されているから、第２トランジスタ２２のドレインと補助トランジスタ２０のドレインとは電気的に連接されている。
　よって、この記載及び上記事項によれば、引用刊行物に記載された「有機発光ダイオード用電流駆動素子アクティブマトリクスの画素回路を用いた表示装置」において、「第１トランジスタ２１のドレインと第２トランジスタ２２のソースとが電気的に連接され、第２トランジスタ２２のドレインと補助トランジスタ２０のドレインとが電気的に連接されることで、第１トランジスタ２１と第２トランジスタ２２と補助トランジスタ２０とが、相互に直列に接続されている」ものである。
　
（２−２−８）
　上記記載事項５には、「【００２４】・・・これにより本実施例では、補助トランジスタ２０と第２トランジスタ２２のオンとオフを制御する第３入出力端２０３が入力する第３信号の位相を、通常、第１トランジスタ２１のオンとオフを制御する第２入出力端２０２が入力する第２信号の位相より速くし、これにより第２トランジスタ２２と補助トランジスタ２０がいずれも確実にオフとされた後に、第１トランジスタ２１がオフとされるようにしている。・・・」と記載されている。
　この記載によれば、引用刊行物に記載された「有機発光ダイオード用電流駆動素子アクティブマトリクスの画素回路を用いた表示装置」は、「補助トランジスタ２０と第２トランジスタ２２のオンとオフを制御する第３信号の位相を、第１トランジスタ２１のオンとオフを制御する第２信号の位相より速くし、これにより、第１トランジスタ２１が、第２トランジスタ２２と補助トランジスタ２０がいずれも確実にオフとされた後に、オフとされる」ものである。
　
（２−２−９）
　（２−２−１）〜（２−２−８）によれば、引用刊行物には、以下の発明が記載されている。
「補助トランジスタ２０、第１トランジスタ２１、第２トランジスタ２２、第３トランジスタ２３、第４トランジスタ２４、コンデンサ２５、有機発光ダイオード２６、定電圧電源２７を具えた有機発光ダイオード用電流駆動素子アクティブマトリクスの画素回路を用いた表示装置であって、
　前記第１トランジスタ２１は、第２信号によりオンとオフが制御され、
　前記第２トランジスタ２２及び前記補助トランジスタ２０は、前記第２信号の位相とは異なる位相を有する第３信号によりオンとオフが制御され、
　前記第３トランジスタ２３は、そのソースに前記定電圧電源２７と前記コンデンサ２５が電気的に連接され、そのドレインに前記第１トランジスタ２１のドレインと前記第２トランジスタ２２のソースが電気的に連接され、そのゲートに補助トランジスタ２０のソースが電気的に連接され、
　前記第４トランジスタ２４は、そのソースに前記定電圧電源２７が電気的に連接され、そのドレインに前記有機発光ダイオード２６が電気的に連接され、そのゲートに前記コンデンサ２５と前記補助トランジスタ２０のドレインと前記第２トランジスタ２２のドレインとが電気的に連接され、
　前記第１トランジスタ２１のドレインと前記第２トランジスタ２２のソースとが電気的に連接され、前記第２トランジスタ２２のドレインと前記補助トランジスタ２０のドレインとが電気的に連接されることで、前記第１トランジスタ２１と前記第２トランジスタ２２と前記補助トランジスタ２０とが、相互に直列に接続され、
　前記補助トランジスタ２０と前記第２トランジスタ２２のオンとオフを制御する前記第３信号の位相を、前記第１トランジスタ２１のオンとオフを制御する前記第２信号の位相より速くし、これにより、前記第１トランジスタ２１が、前記第２トランジスタ２２と前記補助トランジスタ２０がいずれも確実にオフとされた後に、オフとされる
　有機発光ダイオード用電流駆動素子アクティブマトリクスの画素回路を用いた表示装置。」（以下、「引用発明」という。）
　
（３）対比 
　本願補正発明と引用発明とを比較する。 
　
（３−１）
　引用発明の「有機発光ダイオード用電流駆動素子アクティブマトリクスの画素回路を用いた表示装置」は、本願補正発明の「有機電界発光ディスプレー装置」に相当し、以下同様に、「定電圧電源２７」に電気的に連接される配線は「電源電圧配線」に、「コンデンサ２５」は「貯蔵キャパシタンス」に、「有機発光ダイオード２６」は「有機発光ダイオード」に相当する。
　
（３−２）
　引用発明の「第１トランジスタ２１」は、第２信号によりオンとオフが制御されるものであって、導通状態（オン）と非導通状態（オフ）があるものである。
　一方、本願補正発明の「第１スイッチング素子」も、第１信号によって駆動されるものであって、導通状態（駆動状態）と非導通状態（駆動を止めた状態）があるものである。
　
　よって、引用発明の「第２信号」は、本願補正発明の「第１信号」に相当し、引用発明の、第２信号によりオンとオフが制御される、「第１トランジスタ２１」は、本願補正発明の、第１信号によって駆動される、「第１スイッチング素子」に相当する。
　
（３−３）
　引用発明の「第２トランジスタ２２」及び「補助トランジスタ２０」は、第２信号の位相とは異なる位相を有する第３信号によりオンとオフが制御されるものであって、導通状態（オン）と非導通状態（オフ）があるものである。
　一方、本願補正発明の「第２スイッチング素子」及び「第３スイッチング素子」も、第１信号とは異なる第２信号によって駆動されるものであって、導通状態（駆動状態）と非導通状態（駆動を止めた状態）があるものである。
　
　よって、引用発明の、第２信号の位相とは異なる位相を有する、「第３信号」は、本願補正発明の、第１信号とは異なる、「第２信号」に相当し、引用発明の、第２信号の位相とは異なる位相を有する第３信号によりオンとオフが制御される、「第２トランジスタ２２」及び「補助トランジスタ２０」はそれぞれ、本願補正発明の、第１信号とは異なる第２信号によって駆動される、「第２スイッチング素子」及び「第３スイッチング素子」に相当する。
　
（３−４）
　引用発明の「第３トランジスタ２３」は、そのソースに定電圧電源２７とコンデンサ２５が電気的に連接され、そのドレインに第１トランジスタ２１のドレインと第２トランジスタ２２のソースが電気的に連接され、そのゲートに補助トランジスタ２０のソースが電気的に連接されている。
　したがって、引用発明の「第３トランジスタ２３」は、定電圧電源２７、コンデンサ２５、及び、第１トランジスタ２１、第２トランジスタ２２、補助トランジスタ２０に電気的に連接されるものである。
　一方、本願補正発明の「第１駆動素子」も、電源電圧配線、貯蔵キャパシタンス及び前記第１スイッチング素子、第２スイッチング素子、第３スイッチング素子とに連結されるものである。
　そして、（３−１）の相当関係から、引用発明の「定電圧電源２７」に電気的に連接される配線は本願補正発明の「電源電圧配線」に相当し、以下同様に、「コンデンサ２５」は「貯蔵キャパシタンス」に、「有機発光ダイオード２６」は「有機発光ダイオード」に相当する。また、（３−２）の相当関係から、引用発明の「第１トランジスタ２１」は、本願補正発明の「第１スイッチング素子」に相当し、（３−３）の相当関係から、引用発明の「第２トランジスタ２２」及び「補助トランジスタ２０」はそれぞれ、本願補正発明の「第２スイッチング素子」及び「第３スイッチング素子」に相当する。
　
　よって、引用発明の、定電圧電源２７、コンデンサ２５、及び、第１トランジスタ２１、第２トランジスタ２２、補助トランジスタ２０に電気的に連接される、「第３トランジスタ２３」は、本願補正発明の、電源電圧配線、貯蔵キャパシタンス及び第１スイッチング素子、第２スイッチング素子、第３スイッチング素子とに連結される、「第１駆動素子」に相当する。
　
（３−５）
　引用発明の「第４トランジスタ２４」は、そのソースに定電圧電源２７が電気的に連接され、そのドレインに有機発光ダイオード２６が電気的に連接され、そのゲートにコンデンサ２５と補助トランジスタ２０のドレインが電気的に連接されている。
　したがって、引用発明の「第４トランジスタ２４」は、定電圧電源２７、コンデンサ２５、有機発光ダイオード２６、補助トランジスタ２０に電気的に連接されている。
　一方、本願補正発明の「第２駆動素子」も、電源電圧配線、貯蔵キャパシタンス、有機発光ダイオード及び第３スイッチング素子とに連結されている。
　そして、（３−１）の相当関係から、引用発明の「定電圧電源２７」に電気的に連接される配線は本願補正発明の「電源電圧配線」に相当し、以下同様に、「コンデンサ２５」は「貯蔵キャパシタンス」に、「有機発光ダイオード２６」は「有機発光ダイオード」に相当する。また、（３−３）の相当関係から、引用発明の「補助トランジスタ２０」は、本願補正発明の「第３スイッチング素子」に相当する。
　
　よって、引用発明の、定電圧電源２７、コンデンサ２５、有機発光ダイオード２６、補助トランジスタ２０に電気的に連接されている、「第４トランジスタ２４」は、本願補正発明の、電源電圧配線、貯蔵キャパシタンス、有機発光ダイオード及び第３スイッチング素子とに連結されている、「第２駆動素子」に相当する。
　
（３−６）
　引用発明において、第１トランジスタ２１のドレインと第２トランジスタ２２のソースとが電気的に連接され、第２トランジスタ２２のドレインと補助トランジスタ２０のドレインとが電気的に連接されることで、第１トランジスタ２１と第２トランジスタ２２と補助トランジスタ２０とが、相互に直列に接続されている。
　一方、本願補正発明においても、第１スイッチング素子、第２スイッチング素子、第３スイッチング素子は、相互に直列に連結されている。
　そして、（３−２）の相当関係から、引用発明の「第１トランジスタ２１」は、本願補正発明の「第１スイッチング素子」に相当し、（３−３）の相当関係から、引用発明の「第２トランジスタ２２」及び「補助トランジスタ２０」はそれぞれ、本願補正発明の「第２スイッチング素子」及び「第３スイッチング素子」に相当する。
　
　よって、引用発明の「前記第１トランジスタ２１のドレインと前記第２トランジスタ２２のソースとが電気的に連接され、前記第２トランジスタ２２のドレインと前記補助トランジスタ２０のドレインとが電気的に連接されることで、前記第１トランジスタ２１と前記第２トランジスタ２２と前記補助トランジスタ２０とが、相互に直列に接続されている」ことは、本願補正発明の「第１スイッチング素子、第２スイッチング素子、第３スイッチング素子は、相互に直列に連結されている」ことに相当する。
　
（３−７）
　引用発明において、補助トランジスタ２０と第２トランジスタ２２のオンとオフを制御する第３信号の位相を、第１トランジスタ２１のオンとオフを制御する第２信号の位相より速くし、これにより、第１トランジスタ２１が、第２トランジスタ２２と補助トランジスタ２０がいずれも確実にオフとされた後に、オフとされている。
　一方、本願補正発明においても、第１スイッチング素子は、第２スイッチング素子及び第３スイッチング素子が駆動を止めた以後に、駆動を止めている。
　よって、引用発明のトランジスタが「オフとされる」ことは、本願補正発明のスイッチング素子が「駆動を止め」られることに相当する。
　そして、（３−２）の相当関係から、引用発明の「第１トランジスタ２１」は、本願補正発明の「第１スイッチング素子」に相当し、（３−３）の相当関係から、引用発明の「第２トランジスタ２２」及び「補助トランジスタ２０」はそれぞれ、本願補正発明の「第２スイッチング素子」及び「第３スイッチング素子」に相当する。
　
　よって、引用発明の「前記補助トランジスタ２０と前記第２トランジスタ２２のオンとオフを制御する前記第３信号の位相を、前記第１トランジスタ２１のオンとオフを制御する前記第２信号の位相より速くし、これにより、前記第１トランジスタ２１が、前記第２トランジスタ２２と前記補助トランジスタ２０がいずれも確実にオフとされた後に、オフとされる」ことは、本願補正発明の「前記第１スイッチング素子は、前記第２スイッチング素子及び第３スイッチング素子が駆動を止めた以後に、駆動を止める」ことに相当する。
　
（３−８）
　したがって、本願補正発明と引用発明の両者は、
「第１信号によって駆動される第１スイッチング素子と、第１信号とは異なる第２信号によって駆動される第２スイッチング素子及び第３スイッチング素子と；
　電源電圧配線、貯蔵キャパシタンス及び前記第１スイッチング素子、第２スイッチング素子、第３スイッチング素子とに連結される第１駆動素子と；
　前記電源電圧配線、前記貯蔵キャパシタンス、有機発光ダイオード及び第３スイッチング素子とに連結される第２駆動素子を含み、第１スイッチング素子、第２スイッチング素子、第３スイッチング素子は、相互に直列に連結され、前記第１スイッチング素子は、前記第２スイッチング素子及び第３スイッチング素子が駆動を止めた以後に、駆動を止める有機電界発光ディスプレー装置。」の点で一致し、以下の点で相違する。
　
［相違点］
　本願補正発明では「前記第１駆動素子のゲートは、前記第２スイッチング素子のドレイン及び第３スイッチング素子のソースの連結点に連結されている」のに対し、引用発明では第３トランジスタ２３のゲートは補助トランジスタ２０のソースに電気的に連接されている点。
　
（４）当審の判断 
相違点について
　「有機電界発光ディスプレー装置の駆動制御」の技術分野において、カレントミラー回路を使用した画素回路におけるプログラミング動作後の保持容量の蓄積電荷の変動を抑えるために、変換用トランジスタのゲートとドレインとを接続する配線の連結点と、駆動用トランジスタのゲートと保持容量とを接続する配線の連結点との間に、プログラミング動作後にオフ状態となるスイッチ素子を設けた画素回路とすることは、例えば、特開２００３−５７１０号公報の、特に、段落【０００６】〜【０００８】、【００３６】、【図１】、【図２０】に、トランジスタ５６（変換用トランジスタ）のゲートとドレインとを接続する配線の連結点と、トランジスタ５８（駆動用トランジスタ）のゲートと保持容量６０（保持容量）とを接続する配線の連結点との間に、プログラミング動作後にオフ状態となるスイッチ素子６２（スイッチ素子）が設けられた画素回路として記載されているように、周知技術である。
　
　一方、引用発明の「補助トランジスタ２０」の技術的意義を検討すると、引用刊行物の上記記載事項４には、「【００１８】【実施例】図１は周知の電流駆動素子アクティブマトリクスの画素回路中の、第３トランジスタ１３を経由してコンデンサ１５に保存される電圧への影響の問題を示す。本発明は第３トランジスタ１３とコンデンサ１５（及び第４トランジスタ１４のゲート）の間に一つの補助トランジスタを加入させ、この補助トランジスタが第３トランジスタ１３にあってスイッチの前にオフとされるようにし、これにより第３トランジスタ１３とコンデンサ１５が直接電気的に隔離されるようにし、これによりコンデンサ１５の保存する電圧がトランジスタのスイッチ過程中に、第３トランジスタ１３から来る電流／電圧／電荷の影響を受けないようにする。」と記載され、また、上記記載事項５には、「【００２３】あきらかに、図２と図１を比較すると、
本実施例の一つの主要な特徴は、第３トランジスタ２３のゲートとコンデンサ２５（或いは第４トランジスタ２４のゲート）の間の補助トランジスタ２０にある
第３トランジスタ２３のドレイン（甚だしくはソース、ゲートとゲート下方のチャネル）に電圧／電流／電荷（通常は第１トランジスタ２１と第２トランジスタ２２のオン過程とオフ過程により引き起こされる）が出現しても、コンデンサ２５の定電圧電源２７と直接電気的に連接しない電極板に伝導されず、いずれもコンデンサ２５の保存電圧を改変することはできず
第１トランジスタ２１オフの時に、第３トランジスタ２３のドレインとゲートの電圧変化のコンデンサ２５と第４トランジスタ２４の両者に対する影響を阻止する必要がある
第２トランジスタ２２と補助トランジスタ２０がいずれも確実にオフとされた後に、第１トランジスタ２１がオフとされる
　すなわち、引用発明の「補助トランジスタ２０」は、変換用トランジスタである第３トランジスタ２３と駆動用トランジスタである第４トランジスタ２４と保持容量であるコンデンサ２５により構成されるカレントミラー回路を使用した画素回路において、プログラミング動作後に第１トランジスタ２１と第２トランジスタ２２をオフしたときに、第３トランジスタ２３に発生する電圧変化により起こる、保持容量であるコンデンサ２５に蓄積される電荷変動を抑制するために、第３トランジスタ２３のゲートと、コンデンサ２５と第４トランジスタ２４のゲート間に、設けられたものである。そして、上記記載事項５に記載されているように、引用発明の「補助トランジスタ２０」の動作は、第１トランジスタがオフする前のタイミングで、第２トランジスタ２２と同時にオフするものであって、プログラミング動作後はオフ状態となっている。
　
　よって、引用発明及び上記周知技術は、共に、カレントミラー回路を使用した画素回路を用いた有機電界発光ディスプレイ装置であって、プログラミング動作後に保持容量のコンデンサ２５に蓄積される電荷変動を抑制する役割を持ち、プログラミング動作後はオフ状態となる、スイッチングトランジスタ（引用発明の「補助トランジスタ２０」、及び、上記周知技術の「スイッチ素子」）を有するものである。
　したがって、引用発明において、補助トランジスタ２０を設ける場所を、第３トランジスタ２３のゲートと、コンデンサ２５と第４トランジスタ２４のゲート間において決定するにあたって、上記周知技術を勘案して、第３トランジスタ２３（変換用トランジスタ）のゲートを接続する配線と、そのドレインを接続する配線との連結点と、第４トランジスタ２４（駆動用トランジスタ）のゲートとコンデンサ２５（保持容量）とを接続する配線の連結点との間を、補助トランジスタ２０を設ける場所として決定することは、当業者が容易になし得たことである。このとき、第３トランジスタのドレインを接続する配線には、第２トランジスタ２２のソース及びドレインが挿入されているから、第３トランジスタ２３（本願補正発明の「第１駆動素子」に相当）のゲートは、第２トランジスタ２２（本願補正発明の「第２スイッチング素子」に相当）のドレインと、補助トランジスタ２０（本願補正発明の「第３スイッチング素子」に相当）のソースの連結点に連結されることになる。
　そして、かかる設ける場所が変更された補助トランジスタ２０においても、補助トランジスタ２０の動作として、第１トランジスタがオフする前のタイミングに、第２トランジスタ２２と同時にオフするものとすることにより、第１トランジスタ２１と第２トランジスタ２２をオフしたときに第３トランジスタ２３に発生する電圧変化に対して、かかる補助トランジスタ２０が、保持容量であるコンデンサ２５に蓄積される電荷変動を抑制できることは、自明な事項である。
　したがって、上記相違点に係る本願補正発明の発明特定事項は、当業者が引用発明及び上記周知技術に基づいて容易に想到し得たことである。
　
　そして、本願補正発明によってもたらされる効果は、引用発明及び上記周知技術から想定することができない格別のものと認めることもできない。
　
　したがって、本願補正発明は、引用発明及び上記周知技術に基づいて当業者が容易に発明をすることができたものである。
　
　なお、請求人は、平成２２年７月２１日付の回答書において、「審査官殿は、審尋書において引用された文献（特開２００３−３１６３１７号公報（当審注：引用刊行物と同一の文献である。））において、第２及び第３スイッチング素子（２２，２０）が第２信号により駆動され、ON-OFFが同時に実行される旨主張されております。しかしながら、本引用文献においては、第２及び第３スイッチング素子（２２，２０）は異なるタイプのMOS(即ちそれぞれｐ−タイプ、ｎ−タイプ)を有し、ON-OFFは同時に実行されません。」と主張している。
　該主張は、引用刊行物の上記記載事項６の「【００２６】・・・補助トランジスタ２０と第２トランジスタ２２の導通形態を反対とし・・・」なる記載に基づくものと認められる。
　しかしながら、上記記載事項６における該記載の前後には、「【００２６】この問題に対して、本実施例では一つの解決方法を提出している。
補助トランジスタ２０と第２トランジスタ２２が一緒にオフとされるようにする
これら両者が同一時間にそれぞれ電子と正孔をコンデンサ２５の定電圧電源と直接電気的に接触しない電極板に排出する
　すなわち、引用刊行物の実施例は、補助トランジスタ２０と第２トランジスタ２２が一緒にオフとなるものにおいて、補助トランジスタ２０と第２トランジスタ２２の導通形態を反対とすることにより、これら補助トランジスタ２０と第２トランジスタ２２が同一時間にオフとなって、それぞれ電子と正孔をコンデンサ２５の定電圧電源２７と直接電気的に接触しない電極板に排出するようにし、電子正孔の相互相殺中和により、コンデンサ２５の保存電圧の影響を軽減したものである。よって、補助トランジスタ２０と第２トランジスタ２２の導通形態を反対とした実施例においても、依然として、補助トランジスタ２０と第２トランジスタ２２が同一時間にオフとなるように、補助トランジスタ２０と第２トランジスタ２２の各ゲートには、第３信号入出力端２０３から入力される第３信号の極性が適宜反転される等して、第３信号が与えられるものであると認められる。したがって、上記記載において、補助トランジスタ２０と第２トランジスタ２２の導通形態を反対とすることは、補助トランジスタ２０と第２トランジスタ２２が同時にオフされないものとなることを意味しない。
　以上のとおり、該主張は、引用刊行物の記載を正解しないものであって、該主張は失当である。
　
　よって、本願補正発明は、特許法第２９条第２項の規定により、特許出願の際独立して特許を受けることができない。 
　
（５）まとめ 
　以上のとおり、本件補正は、平成１８年法律第５５号改正附則第３条第１項によりなお従前の例によるとされる同法による改正前の特許法第１７条の２第５項において準用する特許法第１２６条第５項の規定に違反するから、特許法第１５９条第１項で読み替えて準用する特許法第５３条第１項の規定により却下されるべきものである。 
　
３　本願発明について 
　
 　平成２１年２月２日付け手続補正は上記のとおり却下されたので、本願の請求項１に係る発明（以下、「本願発明」という。）は、平成２０年１０月２日付けの手続補正により補正された明細書、特許請求の範囲、及び図面の記載からみて、その請求項１に記載された事項により特定されるとおりのものと認める。（前記「２」の項参照。） 
　
４　引用刊行物 
　
　引用刊行物に記載された引用発明は、前記「２　（２−２−９）」に記載されたとおりである。 
　
５　対比・判断
　
　本願発明は、前記「２」で検討した本願補正発明から、「前記第１駆動素子のゲートは、前記第２スイッチング素子のドレイン及び第３スイッチング素子のソースの連結点に連結されている」との発明特定事項を省いたものである。
　そうすると、本願発明と引用発明とを比較すると、上記「２　（３−１）」〜「２（３−７）」で検討したとおり、両者は、「第１信号によって駆動される第１スイッチング素子と、第１信号とは異なる第２信号によって駆動される第２スイッチング素子及び第３スイッチング素子と；
　電源電圧配線、貯蔵キャパシタンス及び前記第１スイッチング素子、第２スイッチング素子、第３スイッチング素子とに連結される第１駆動素子と；
　前記電源電圧配線、前記貯蔵キャパシタンス、有機発光ダイオード及び第３スイッチング素子とに連結される第２駆動素子を含み、第１スイッチング素子、第２スイッチング素子、第３スイッチング素子は、相互に直列に連結され、前記第１スイッチング素子は、前記第２スイッチング素子及び第３スイッチング素子が駆動を止めた以後に、駆動を止める有機電界発光ディスプレー装置。」の点で一致する。
　
　よって、本願発明と引用発明とは、両者間に相違点がなく、両者は同一であるから、本願発明は、引用刊行物に記載された発明である。
　
　また、本願発明は、引用発明に基づいて当業者が容易に発明をすることができたものともいえる。
　
６．むすび
　したがって、本願発明は、引用刊行物に記載された発明であるから、特許法第２９条第１項第３号の規定により特許を受けることができない。
　また、本願発明は、引用発明に基いて当業者が容易に発明をすることができたものであるから、特許法第２９条第２項の規定により特許を受けることができない。
　以上のとおりであるから、他の請求項に係る発明について検討するまでもなく、本願は拒絶すべきものである。
　
　よって、結論のとおり審決する。